(57)【要約】【課題】ユーザの要望に応じてＣＭ放送を排除した番組放送を行う。【解決手段】予めＣＭ排除放送サービスに登録加入したユーザのデジタル放送受信装置５０に、インターネットＥを介してスクランブル処理により暗号化された番組放送の放送信号の復号化に用いる解除キー情報をデジタル放送送信装置１０から送信しておく。デジタル放送送信装置１０では、放送信号送出時にＣＭ放送の時間帯においてＣＭ放送と暗号化した番組放送とがマルチ編成放送される。デジタル放送受信装置５０では、ＣＭ放送の時間帯に達すると、解除キー情報が記憶されている場合はスクランブル処理により暗号化された番組放送の放送信号が当該解除キーを用いて復号化され、当該復号化された番組放送の再生が行われる一方、解除キー情報が記憶されていない場合がＣＭ放送の再生が行われる。【選択図】図１
2005204214.tif 000002
【特許請求の範囲】
【請求項１】
現在放送中の番組放送データを暗号化して暗号化番組放送データを生成し、当該暗号化番組放送データに告知情報放送データを多重化してなるマルチ編成放送時間を有するデジタル放送信号を送信するデジタル放送送信手段と、
前記告知情報放送データの排除の要求を行ったデジタル放送受信手段に対して、所定条件下において前記暗号化番組放送データを復号化するためのキー情報を配信する配信手段と、
前記配信手段により配信されたキー情報に基づき、前記デジタル放送送信手段から受信されたデジタル放送信号に含まれる前記暗号化番組放送データを復号化して再生するデジタル放送受信手段と、
を備えて構成されるデジタル放送システム。
【請求項２】
前記告知情報放送データには、コマーシャル放送データが含まれることを特徴とする請求項１に記載のデジタル放送システム。
【請求項３】
前記配信手段と前記デジタル放送受信手段は、通信ネットワークを介して接続され、
前記配信手段は、前記通信ネットワークを介してデジタル放送受信手段からの告知情報放送データの排除要求を受け付けるとともに、当該デジタル放送受信手段にキー情報を配信することを特徴とする請求項１又は２に記載のデジタル放送システム。
【請求項４】
前記所定条件には、前記告知情報放送データの排除に対する対価の支払いが確認されたことが含まれることを特徴とする請求項１〜３の何れか一項に記載のデジタル放送システム。
【請求項５】
現在放送中の番組放送データを暗号化して暗号化番組放送データを生成し、当該暗号化番組放送データに告知情報放送データを多重化してなるマルチ編成放送時間を有するデジタル放送信号を送信する工程と、
前記告知情報放送データの排除の要求を行ったデジタル放送受信装置に対して、所定条件下において前記暗号化番組放送データを復号化するためのキー情報を配信する工程と、
前記配信されたキー情報に基づき、デジタル放送受信装置において受信されたデジタル放送信号に含まれる前記暗号化番組放送データを復号化して再生する工程と、
を含むことを特徴とするデジタル放送方法。
【発明の詳細な説明】
【技術分野】
【０００１】
本発明は、デジタル放送の放送信号を送受信し、当該放送信号に基づいて映像及び音声の再生を行うデジタル放送システム及びデジタル放送方法に関する。
【背景技術】
【０００２】
近年、テレビ放送においては、地上波のアナログ放送に代えて通信衛星（ＣＳ；Communications Satellite）や放送衛星（ＢＳ；Broadcast Satellite）を介してデジタル信号を伝送するデジタル放送や、地上波のデジタル放送等が展開されている。
【０００３】
デジタル放送では、ＭＰＥＧ（Moving Picture Experts Group）の圧縮符号化技術により、データの多重化が可能となり、従来のアナログ放送で１つの番組の放送に使用されていたものと同じ電波帯域で複数の番組の映像及び音声を伝送するマルチ編成放送が可能となる。また、番組の映像やその音声とともに、その番組に関する電子番組ガイド情報（以下、ＥＰＧ；Electriacal Program Guide情報という）や天気予報情報、ニュース情報、野球やサッカーの試合経過情報等の各種マルチメディア情報を伝送することができる。
【０００４】
従来の地上波アナログ放送では、１つの電波帯域で１つの番組しか放送できないため、番組放送中にコマーシャル（以下、ＣＭという）放送が割り込み、デジタル放送受信装置側では視聴者の意図に関わらず一方的にＣＭ放送が放映されることとなっていた。これでは、視聴していたニュースやドラマ等の番組放映が中断され、ＣＭに興味がない視聴者もＣＭ放送を視聴しなければならないという問題があった。
【０００５】
従来から、このような問題を解消するために、受信されたアナログ放送信号をデジタル化してメディアに録画する際に、ＣＭ放送の放送信号を検出し、当該ＣＭ放送の放送信号を削除する技術が提案されている（例えば、特許文献１参照）。
【特許文献１】特開２００２−１９９３２１号公報
【発明の開示】
【発明が解決しようとする課題】
【０００６】
しかしながら、上記特許文献１による技術では、一旦録画しなければならず、視聴者が放送を視聴する際にＣＭ放送を排除することができるものではない。また、生放送等のようにリアルタイムで放送が行われている場合、例えばスポーツ試合の中継放送等の場合、そのスポーツ試合の放映中にＣＭ放送が放映されると、視聴者はそのＣＭ放送時間中はスポーツ試合を視聴することができず、大事なシーンを見逃してしまうというような問題があった。
【０００７】
本発明の課題は、ユーザの要望に応じてＣＭ放送を排除した番組放送を行うことができるデジタル放送システム及びデジタル放送受信装置を提供することである。
【課題を解決するための手段】
【０００８】
請求項１に記載の発明は、デジタル放送システムにおいて、
現在放送中の番組放送データを暗号化して暗号化番組放送データを生成し、当該暗号化番組放送データに告知情報放送データを多重化してなるマルチ編成放送時間を有するデジタル放送信号を送信するデジタル放送送信手段と、
前記告知情報放送データの排除の要求を行ったデジタル放送受信手段に対して、所定条件下において前記暗号化番組放送データを復号化するためのキー情報を配信する配信手段と、
前記配信手段により配信されたキー情報に基づき、前記デジタル放送送信手段から受信されたデジタル放送信号に含まれる前記暗号化番組放送データを復号化して再生するデジタル放送受信手段と、
を備えて構成される。
【０００９】
請求項５に記載の発明は、デジタル放送方法において、
現在放送中の番組放送データを暗号化して暗号化番組放送データを生成し、当該暗号化番組放送データに告知情報放送データを多重化してなるマルチ編成放送時間を有するデジタル放送信号を送信する工程と、
前記告知情報放送データの排除の要求を行ったデジタル放送受信装置に対して、所定条件下において前記暗号化番組放送データを復号化するためのキー情報を配信する工程と、
前記配信されたキー情報に基づき、デジタル放送受信装置において受信されたデジタル放送信号に含まれる前記暗号化番組放送データを復号化して再生する工程と、
を含むことを特徴とする。
【発明の効果】
【００１０】
請求項１、５に記載の発明によれば、告知情報放送の排除を要求したデジタル放送受信手段に対してキー情報を配信し、デジタル放送受信手段は番組放送と告知情報放送とのマルチ編成放送時間を有するデジタル放送信号が受信されると、当該キー情報に基づいて暗号化された番組情報を復号化して再生する。従って、告知情報を必要としないユーザはデジタル放送受信手段を介して告知情報放送の排除を要求することにより、告知情報の放送時間帯には番組放送を継続して視聴することができる。
【００１１】
請求項２に記載の発明によれば、告知情報放送データには、コマーシャル放送データが含まれる。従って、コマーシャルに興味のないユーザは、コマーシャル放送を視聴せずに番組放送を継続して視聴することができる。
【００１２】
請求項３に記載の発明によれば、通信ネットワークを介して告知情報放送の排除要求を受け付けるとともに、キー情報を配信するので、ユーザはデジタル放送受信手段を介してオンラインで告知情報放送の排除の手続を行うことができる。
【００１３】
請求項４に記載の発明によれば、対価の支払いが確認されると、キー情報が発行されるので、ユーザは対価を支払うことで告知情報放送が排除された放送を視聴することができる。また、放送局側では、特定のユーザのみに対する限定サービスとすることができる。
【発明を実施するための最良の形態】
【００１４】
本実施の形態では、デジタル放送システムに、ＣＭ排除放送サービスに加入したユーザのデジタル放送受信装置にインターネットを介して暗号化されたスクランブル放送を解除することができる解除キーを配信する配信サーバを備え、デジタル放送受信装置において、デジタル放送送信装置から番組放送を暗号化したスクランブル放送とＣＭ放送とのマルチ編成放送の放送信号を受信すると、解除キーを用いてスクランブルを解除した番組放送を再生する例を説明する。
【００１５】
まず、構成を説明する。
図１に、本実施の形態におけるデジタル放送システム１００のシステム構成を示す。
図１に示すように、デジタル放送システム１００は、アンテナａを備えたデジタル放送送信装置１０と、配信サーバ２０と、デジタル放送受信装置５０とから構成され、配信サーバ２０とデジタル放送受信装置５０はインターネットＥを介して互いに情報の送受信が可能に接続されている。なお、本実施形態では、各装置が１台づつ設置された例を示したが、その台数は特に限定しない。また、配信サーバ２０とデジタル放送受信装置５０とがインターネットＥを介して接続されていることとしたが、他の形態の通信ネットワークであってもよい。
【００１６】
以下、各装置について説明する。
デジタル放送送信装置１０は、放送局等に設置され、制作・編集済みの番組ＶＴＲ等の放送対象の映像及び音声のデータ（以下、放送データという）を多重化、変調し、放送信号としてアンテナａを介して外部に送出するものである。
【００１７】
図２に、デジタル放送送信装置１０の内部構成を示す。
図２に示すように、デジタル放送送信装置１０は、制御部１１、入力部１２、表示部１３、メモリ１４、放送データ記憶部１５、アンテナａを有するデジタル放送送信部１６から構成されるデジタル放送送信手段である。
【００１８】
制御部１１は、ＣＰＵ（Central Processing Unit）、ＲＡＭ（Random Access Memory）等から構成され、本発明に係る放送送出処理プログラムをメモリ１４から読み出してＲＡＭに展開し、当該プログラムとの協働により、後述する放送送出処理（図８参照）を統括的に制御する。
【００１９】
放送送出処理では、ＣＭ放送の開始時間に達すると番組放送の放送信号にスクランブル処理を施す、つまり所定の暗号化方式により番組放送の放送信号を暗号化するとともに、この暗号に対応する解除キー情報を生成する。そして、ＣＭ放送が無い通常放送の時間帯には暗号化されていない番組放送の放送信号のみをデジタル放送送信部１６に送出させ、ＣＭ放送の時間帯には暗号化された番組放送の放送信号と、ＣＭ放送の放送信号とを多重化してデジタル放送送信部１６に送出させ、マルチ編成放送を行う。
【００２０】
入力部１２は、オペレータが放送操作指示を入力するための各種機能キーを備えて構成され、押下されたキーに対応する操作信号を制御部１１に出力する。
【００２１】
表示部１３は、オペレータが各種操作を行うための操作画面や制御部１１によるデータ処理結果等を表示する。
【００２２】
メモリ１４は、放送送出処理プログラム等の各種制御プログラム及び各プログラムで処理されたデータ等を記憶する。
【００２３】
放送データ記憶部１５は、放送対象の放送データを記憶する。放送データには、番組の映像及び音声のデータの他、マルチメディア情報、告知情報の放送データ等が含まれる。マルチメディア情報とは、電子番組ガイド情報（以下、ＥＰＧ;Electrical Program Guide情報という）や放送番組に関するウェブページのＵＲＬ情報、天気予報情報、ニュース情報、野球やサッカーの試合等のダイジェスト情報等の各種情報をいう。また、告知情報とは視聴者に告知すべき情報をいい、コマーシャル等の広告情報や、番組に関するお知らせ情報等が含まれる。
【００２４】
デジタル放送送信部１６は、放送データ記憶部１５に記憶された放送データをデータ処理後、アナログ放送信号に変調してアンテナａを介して外部へ送出する。まず、放送対象の放送データが入力されると、ＭＰＥＧ-２方式に従って当該放送データを符号化する。そして、ＣＭ放送の時間帯に該当する番組の放送データを所定の暗号化方式に従って暗号化してスクランブル映像及び音声のデータを生成する。次に、複数番組の放送データをＭＰＥＧ-２ＴＳ（Transport Stream）方式に従ってパケット化した後、多重化し、ＴＳストリームを生成する。最後に、ＴＳストリームをＯＦＤＭ（Orthogonal Frequency Division Multiplexing）方式により変調し、当該変調されたアナログ放送信号をアンテナａを介して外部へ送出する。
【００２５】
次に、配信サーバ２０について説明する。
配信サーバ２０は、ＣＭ排除放送（ＣＭ放送を排除した番組放送）を提供するＣＭ排除放送サービスへユーザが登録加入するための登録サイトを開設し、この登録サイトを介してＣＭ排除放送サービスを受けるユーザの登録を行って、当該登録されたユーザにスクランブル放送の解除キー情報を配信する配信手段である。
図４に、配信サーバ２０の内部構成を示す。
図４に示すように、配信サーバ２０は、制御部２１、ネットワーク通信部２２、メモリ２３を備えて構成される。
【００２６】
制御部２１は、ＣＰＵ、ＲＡＭ等から構成され、メモリ２３に格納されたユーザ登録処理プログラムに従って後述するユーザ登録処理（図６参照）を実行する。
ユーザ登録処理では、ネットワーク通信部２２を介してデジタル放送受信装置５０からＣＭ排除放送の要求情報とともにユーザ情報等の各種登録情報を受信すると、電子決済によりサービス料金（対価）が支払われたか否かの確認を行う。具体的には、クレジットカードを利用した電子決済の場合はそのクレジット会社のサーバ等に与信確認を行い、電子マネーによる決済の場合は支払われた電子マネーの精算を行う。そして、サービス料金の支払いが確認されると、受信された各登録情報を登録テーブル２３１に記憶させてユーザ登録を行い、要求に応じて登録されたユーザのデジタル放送受信装置５０に暗号化された番組放送の放送信号を復号化する、つまりスクランブルを解除するための解除キー情報をネットワーク通信部２２により送信する。
【００２７】
ネットワーク通信部２２は、ネットワークインターフェイスカード（以下、ＮＩＣ；Network Interface Card）やモデム等、外部機器と通信するための通信用インターフェイスから構成される。
【００２８】
メモリ２３は、ユーザ登録処理プログラム等の各種プログラム、各プログラムで処理されたデータ等を記憶する。また、メモリ２３は、ＣＭ放送排除サービスを提供するユーザの登録情報である登録テーブル２３１を記憶する。
【００２９】
登録テーブル２３１には、図４に示すように、ＣＭ排除放送を行うユーザとして登録されたユーザのユーザ名（例えば“Ａ”）、住所（例えば“東京都…”）、電話番号（例えば“０３−○×…”）、サービス料金の支払いに関する情報（例えば支払い方法は“クレジット”で、クレジット番号が“１２３…”）、ＣＭ放送を排除する番組として指定された指定番組の情報（例えば“スポーツ中継”）、サービス料金の課金情報（例えば“１月５００円”）等の各種項目情報が格納されている。
【００３０】
次に、デジタル放送受信装置５０について説明する。
デジタル放送受信装置５０は、放送局から送出されたデジタル放送信号を受信し、当該受信されたデジタル放送信号に基づいて映像及び音声の再生を行うデジタル放送受信手段である。
【００３１】
図５に、デジタル放送受信装置５０の内部構成を示す。
図５に示すように、デジタル放送受信装置５０は、制御部５１、メモリ５２、入力部５３、ネットワーク通信部５４、電子マネー処理部５５、デジタル放送受信部５６、復号処理部５７、画像・音声処理部５８、表示部５９、スピーカ６０から構成される。
【００３２】
制御部５１は、ＣＰＵ、ＲＡＭ等から構成され、メモリ５２に格納された各プログラムをＲＡＭに展開し、当該プログラムに従ってデジタル放送受信装置５０の各部を統括的に制御するものである。具体的には、制御部５１は、本発明に係るテレビ放映処理プログラム、再生処理プログラム、ユーザ要求受付処理プログラムをメモリ５２から読み出して、当該プログラムと協働により、後述するテレビ放映処理（図１０参照）、再生処理（図１１参照）、ユーザ要求受付処理（図１２参照）を統括的に制御する。
【００３３】
テレビ放映処理では、デジタル放送受信部５６により、入力部５３を介してユーザにより指定されたチャンネルの放送信号を受信させ、チャンネルが切り換えられた場合は、切り換えられたチャンネルに対応する放送信号を受信させる。そして、当該受信された放送信号の再生処理を実行する。また、ユーザからＣＭ排除放送が指示された場合、ユーザ要求受付処理を実行する。
【００３４】
再生処理では、受信された放送信号がマルチ編成であり、メモリ５２に解除キー情報が記憶されている場合、スクランブル処理により暗号化された番組放送の放送信号を復号化処理部５７により解除キーを用いて復号化させ、当該復号化された番組放送の再生を表示部５９及びスピーカ６０により行わせる。一方、マルチ編成ではあるが、メモリ５２に解除キー情報が記憶されていない場合、ＣＭ放送の再生を表示部５９及びスピーカ６０に行わせる。
【００３５】
ユーザ要求受付処理では、ＣＭ放送の排除が指示されると、ネットワーク通信部５４によりＣＭ排除放送サービスの登録サイトにアクセスし、登録画面のデータを取得して表示部５９に表示させる。そして、この登録画面において各種登録情報が入力されると、ＣＭ排除放送の要求情報とともにこの入力された登録情報を登録サイトを介して配信サーバ２０に送信させる。このとき、サービス料金の支払いを電子マネーにより決済する場合は電子マネー処理部５５により料金の支払い処理を行わせ、クレジットカードにより決済する場合はクレジットカード番号等の支払いに必要な情報を配信サーバ２０に送信させる。そして、配信サーバ２０においてサービス料金の支払いが確認され、正常にユーザ登録が終了して解除キー情報がネットワーク通信部５４を介して受信されると、当該解除キー情報をメモリ５２に記憶させる。
【００３６】
メモリ５２は、テレビ放映処理プログラム、再生処理プログラム、ユーザ要求受付処理プログラム等の各種プログラム及び各プログラムで処理されたデータ等を記憶する。また、メモリ５２は、ＣＭ排除放送サービスに登録された場合に配信サーバ２０から送信される解除キーを記憶するためのメモリ領域を有している。
【００３７】
入力部５３は、電源のＯＮ／ＯＦＦキー、チャンネルキー、音量調整キー等の各種機能キーを備えて構成され、押下されたキーに対応する操作信号を制御部５１に出力する。なお、各種機能キーを備えたリモートコントローラを有することとしてもよい。
【００３８】
ネットワーク通信部５４は、ＮＩＣ、モデム等の通信用インターフェイスを備えて構成され、インターネットＥ上の外部機器に接続して各種情報の送受信を行う。例えば、配信サーバ２０により提供されるＣＭ排除放送サービスの登録サイトにアクセスし、当該登録サイトを介して配信サーバ２０にＣＭ放送を排除した番組放送を要求する要求情報を送信するとともに、当該配信サーバ２０から解除キー情報を受信する。
【００３９】
電子マネー処理部５５は、貨幣価値をデジタルデータに置き換えた電子マネーが蓄積されたＩＣカードにより電子決済を行うものである。電子マネー処理部５５は、ＣＭ排除放送サービスのサービス料金を電子決済により支払う支払い処理を実行する。なお、サービス料金の支払い方法としては、クレジットカードを利用した電子決済、銀行振り込み等、その他の方法であってもよく、特に限定しない。
【００４０】
デジタル放送受信部５６は、アンテナ５６ａを備えて構成され、アンテナ５６ａを介して受信された放送信号のうち、指定されたチャンネルに対応する放送信号を抽出し、当該抽出された放送信号に対してＯＦＤＭ方式の復調を行う。すなわち、放送信号の変調方式に対応して、ＤＱＰＳＫ（Differential Quadrature Phase Shift Keying）、ＱＰＳＫ（Quadrature Phase Shift Keying）、１６ＱＡＭ（Quadracture Amplitude Modulation）、６４ＱＡＭの４種類の方式による復調を選択的に行い、復調された放送信号から画像信号と音声信号をＭＰＥＧ-２ＴＳ方式に従って分離して、復号処理部５７へ出力する。また、放送信号にマルチメディア情報が含まれる場合は、当該マルチメディア情報の信号を分離して図示しないデータ処理部に出力する。マルチメディア情報の信号は、データ処理部においてＭＰＥＧ-２方式により復号化された後、制御部５１に出力される。
【００４１】
復号処理部５７は、デジタル放送受信部５６から入力された画像信号及び音声信号のうち、暗号化されたスクランブル映像の画像信号及び音声信号に対し、メモリ５２に記憶された解除キーを用いて復号化を行う。復号化によりスクランブルが解除された画像信号及び音声信号は画像・音声処理部５８に出力される。
【００４２】
画像・音声処理部５８は、復号処理部５７から入力された画像信号及び音声信号をＭＰＥＧ-２方式に従って復号化し、映像データ（動画像データ）及び音声データを生成する。次いで、生成された画像データに各種画像処理を施し、当該画像データを表示部５９に出力する。表示部５９は、表示ディスプレイ上に映像データを表示する表示手段である。同様に、画像・音声処理部５８は、生成された音声データに各種データ処理を施し、当該音声データをアナログ変換した後、スピーカ６０に出力する。スピーカ６０は、画像・音声処理部５８から入力されたアナログ音声信号に基づいて音声出力を行う音出力手段である。
【００４３】
次に、本実施の形態における動作を説明する。
まず、図６及び図７を参照して、配信サーバ２０により実行されるユーザ登録処理について説明する。ユーザ登録処理は、ＣＭ排除放送サービスのユーザ登録を行う際に実行される処理であり、その登録サイトにデジタル放送受信装置５０からアクセスされた際に開始される。
【００４４】
図６に示すユーザ登録処理では、まず配信サーバ２０により開設される登録サイトへアクセスされると、当該アクセスを行ったデジタル放送受信装置５０に図７に示すような登録画面のデータを送信し、登録画面の提供が行われる（ステップＡ１）。図７に示すように、登録画面には、ＣＭ排除放送サービスへの登録加入の申し込みを行うユーザの氏名、住所、電話番号、クレジット番号、ＣＭ排除放送を行う指定番組名の各種項目情報を入力するための入力領域ｄ１が設けられている。デジタル放送受信装置５０側の視聴者は、デジタル放送受信装置５０の入力部５３を介して登録に必要な事項をこの登録画面の入力領域ｄ１に入力する。
【００４５】
次いで、登録画面において各項目情報が入力され、ＣＭ排除放送サービスを要求する要求情報とともにその入力情報が受信されると、当該入力情報が登録テーブル２３１に記憶され、ユーザ登録が行われる（ステップＡ２）。次いで、サービス料金の支払い確認が行われ、支払い済みであることが確認されると、指定された番組放送の暗号化に対応する解除キー情報がＣＭ排除放送の要求を行ったデジタル放送受信装置５０に送信されて（ステップＡ３）、本処理を終了する。
【００４６】
次に、図８を参照して、デジタル放送送信装置１０により実行される放送送出処理を説明する。この放送送出処理は、放送信号を外部に送出する処理である。
図８に示す放送送出処理では、まずデジタル放送送信部１６により番組放送の放送信号が生成され、アンテナａを介して外部に送出されて通常放送が行われる（ステップＢ１）。
【００４７】
次いで、ＣＭ放送の開始時間に達したか否かが判別され（ステップＢ２）、ＣＭ放送の開始時間に達していない場合は（ステップＢ２；Ｎ）、ステップＢ１の処理に戻って通常放送が継続される。一方、ＣＭ放送の開始時間に達した場合（ステップＢ２；Ｙ）、スクランブル処理が行われ、それまで放送していた番組放送の放送信号が暗号化されて、スクランブル映像及び音声の放送信号が生成される（ステップＢ３）。次いで、スクランブル処理された番組放送信号と、ＣＭ放送信号とが多重化されて送出され、マルチ編成放送が行われる（ステップＢ４）。
【００４８】
次いで、ＣＭ放送の終了時間に達したか否かが判別され（ステップＢ５）、ＣＭ放送の終了時間に達していない場合（ステップＢ５；Ｎ）、ステップＢ３の処理に戻り、暗号かされた番組放送信号とＣＭ放送信号とのマルチ編成放送が継続される。一方、ＣＭ終了時間に達した場合（ステップＢ５；Ｙ）、番組放送のスクランブル処理が中止され、ステップＢ１の処理に戻って通常放送が行われる。
【００４９】
以上の放送送出処理により送出された、ＣＭ放送を含む放送信号の概念図を図９に示す。例えば、番組放送としてスポーツ中継番組が放送される場合、図９に示すように通常放送時にはスポーツ中継番組のみが放送されるが、ＣＭ放送の時間帯ではＣＭ放送とスクランブル処理されたスポーツ中継の番組放送とがマルチ編成で放送されることとなる。
【００５０】
次に、図１０を参照してデジタル放送受信装置５０により実行される放送再生処理を説明する。この放送再生処理は、ユーザからの指示に応じてＣＭ排除放送サービスへの登録要求を行うとともに、受信された放送信号に基づいて映像及び音声を再生する際に、ＣＭ放送の時間帯ではユーザ登録により配信サーバ２０から配信された解除キーによりスクランブルを解除した番組放送を行うものである。
【００５１】
図１０に示すテレビ放映処理では、まず電源オンが指示されると、デジタル放送受信装置５０の電源がオンされ（ステップＣ１）、デジタル放送受信部５６において受信される放送信号のうち指定されたチャンネルの放送信号が抽出されると（ステップＣ２）ステップＣ３の再生処理に移行する。
【００５２】
図１１を参照して、再生処理について説明する。
図１１に示す再生処理では、まず抽出された放送信号が、スクランブル処理された番組放送の放送信号とＣＭ放送の放送信号とのマルチ編成であるか否かが判別される（ステップＣ３１）。マルチ編成ではない場合（ステップＣ３１；Ｎ）、ステップＣ３６の処理に移行し、抽出された放送信号に基づいて表示部５９により番組映像の表示が行われるとともに、スピーカ６０により音声出力が行われ、図１０に示すステップＣ４のユーザ登録受付処理に移行する。一方、マルチ編成である場合（ステップＣ３１；Ｙ）、解除キー情報がメモリ５２に記憶されているか否かが判別される（ステップＣ３２）。
【００５３】
解除キー情報が記憶されている場合（ステップＣ３２；Ｙ）、再生対象の放送信号としてスクランブル処理された番組放送の放送信号が選択され（ステップＣ３３）、復号処理部５７においてメモリ５２に記憶された解除キーを用いて当該選択された番組放送が復号化され、スクランブルが解除される（ステップＣ３４）。次いで、スクランブルが解除された番組放送の放送信号に基づいて表示部５９、スピーカ６０により映像及び音声再生が行われ（ステップＣ３６）、図１０のステップＣ４のユーザ登録受付処理に移行する。
【００５４】
一方、解除キー情報がメモリ５２に記憶されていない場合（ステップＣ３２；Ｎ）、再生対象の放送信号としてＣＭ放送の放送信号が選択され（ステップＣ３５）、当該選択されたＣＭ放送の放送信号に基づいてＣＭ映像及び音声の再生が行われる（ステップＣ３６）。再生後は、図１０に示すステップＣ４のユーザ登録受付処理に移行する。
【００５５】
図１２を参照してユーザ要求受付処理について説明する。
図１２に示すユーザ要求受付処理では、まず入力部５３を介してＣＭ放送の排除が指示されたか否かが判別される（ステップＣ４１）。ＣＭ放送の排除が指示されなかった場合（ステップＣ４１；Ｎ）、図１０に示すステップＣ５に移行し、ＣＭ放送の排除が指示された場合（ステップＣ４１；Ｙ）、ネットワーク通信部５４を介して、配信サーバ２０が開設するＣＭ排除放送サービスに加入登録するための登録サイトにアクセスが行われる（ステップＣ４２）。
【００５６】
登録サイトにアクセスが行われると、図７に示したような登録画面が受信されて表示部５９に表示される。この登録画面において入力部５３を介してユーザ情報、支払い方法等の必要事項が入力され、登録が指示されると、入力された項目情報とともにＣＭ排除放送を要求する要求情報が配信サーバ２０に送信される。次いで、電子マネー処理部５５によりサービス料金の支払いが行われ、料金の入金を確認した配信サーバ２０からネットワーク通信部５４を介して解除キー情報が受信され、取得されると（ステップＣ４３）、当該取得された解除キー情報がメモリ５２に記憶され、図１０に示すステップＣ５の処理に移行する。
【００５７】
図１０に示すステップＣ５では、入力部５３を介してチャンネルが切り換えられたか否かが判別され、チャンネルが切り換えられた場合（ステップＣ５；Ｙ）、ステップＣ２の処理に戻り、切り換えられたチャンネルに対応する放送信号の抽出が行われる。一方、チャンネルが切り換えられていない場合（ステップＣ５；Ｎ）、電源ＯＦＦが指示されたか否かが判別される（ステップＣ６）。電源オフが指示されていない場合は（ステップＣ６；Ｎ）、ステップＣ３の処理に戻って再生処理を継続し、電源オフが指示された場合は（ステップＣ６；Ｙ）、本処理を終了する。
【００５８】
以上のように、本実施形態によれば、ＣＭ放送の時間帯では、ＣＭ放送とスクランブル処理により暗号化された番組放送との放送信号がマルチ編成で送出され、ＣＭ排除放送サービスの登録サイトを介してＣＭ排除放送を要求し、ユーザ登録されたユーザのみにスクランブルを解除できる解除キーが配信され、デジタル放送受信装置５０では、解除キーが受信されていれば番組放映時のＣＭ放送時間には解除キーにより復号化された番組映像及び音声が再生され、解除キーが無い場合にはＣＭの映像及び音声再生が行われるので、ユーザの希望に応じてＣＭ排除放送を提供することができる。従って、ＣＭ放送に興味が無いユーザはＣＭ放送の排除を要求し、サービス料金を支払うことにより、番組放送を継続して視聴することができる。
【００５９】
また、ＣＭ排除放送サービスは、登録サイトを介してデジタル放送受信装置５０により要求することができるので、ユーザは放送を視聴中でもすぐにＣＭ排除放送サービスを申し込むことができ、利便性が良い。
【００６０】
なお、本実施形態における記述内容は、本発明を適用したデジタル放送システム１００及びデジタル放送受信装置５０の好適な一例であり、これに限定されるものではない。
【００６１】
例えば、上述した説明では、ＣＭ排除放送サービスへの登録サイトを介してユーザ登録を受け付けて、解除キー情報をインターネットＥを介してデジタル放送受信装置５０に配信することとしたが、ユーザ登録は所定の申し込み用紙にユーザ登録に必要な項目情報を記載して郵便により受け付けて、解除キー情報を可搬型の記録メディア等に記録し、当該記録メディアをユーザに返送することにより解除キー情報の配信を行うこととしてもよい。これにより、通信ネットワークに接続することができない環境のユーザであっても、ＣＭ排除放送サービスの提供を受けることができる。
【００６２】
また、ＣＭ排除放送サービス登録の受付及び解除キー情報の配信を行う配信サーバ２０が放送局に設置される構成としたが、配信サーバ２０の運用形態はこれに限らず、登録の受付、解除キー情報の配布を代行する代行業者により運用される構成としてもよい。
【００６３】
その他、本実施形態におけるデジタル放送システム１００、デジタル放送受信装置５０の細部構成及び細部動作に関しても、本発明の趣旨を逸脱することのない範囲で適宜変更可能である。
【図面の簡単な説明】
【００６４】
【図１】本発明を適用した実施の形態におけるデジタル放送システム１００のシステム構成を示す図である。
【図２】デジタル放送送信装置１０の内部構成を示す図である。
【図３】配信サーバ２０の内部構成を示す図である。
【図４】登録テーブル２３１のデータ構成例を示す図である。
【図５】デジタル放送受信装置５０の内部構成を示す図である。
【図６】配信サーバ２０により実行されるユーザ登録処理を説明するフローチャートである。
【図７】ユーザ登録処理においてデジタル放送受信装置５０に提供される登録画面例を示す図である。
【図８】デジタル放送送信装置１０により実行される放送送出処理を説明するフローチャートである。
【図９】放送送出処理により送出された放送信号の編成を示す図である。
【図１０】デジタル放送受信装置１０により実行されるテレビ放映処理を説明するフローチャートである。
【図１１】テレビ放映処理中に実行される再生処理を説明するフローチャートである。
【図１２】テレビ放映処理中に実行されるユーザ要求受付処理を説明するフローチャートである。
【符号の説明】
【００６５】
１００    デジタル放送システム
１０    デジタル放送送信装置
１１    制御部
１２    入力部
１３    表示部
１４    メモリ
１５    放送データ記憶部
１６    デジタル放送送信部
２０    配信サーバ
２１    制御部
２２    ネットワーク通信部
２３    メモリ
２３１    登録テーブル
５０    デジタル放送受信装置
５１    制御部
５２    メモリ
５３    入力部
５４    ネットワーク通信部
５５    電子マネー処理部
５６    デジタル放送受信部
５７    復号処理部
５８    画像・音声処理部
５９    表示部
６０    スピーカ
【図１】
2005204214.tif 000003
【図２】
2005204214.tif 000004
【図３】
2005204214.tif 000005
【図４】
2005204214.tif 000006
【図５】
2005204214.tif 000007
【図６】
2005204214.tif 000008
【図７】
2005204214.tif 000009
【図８】
2005204214.tif 000010
【図９】
2005204214.tif 000011
【図１０】
2005204214.tif 000012
【図１１】
2005204214.tif 000013
【図１２】
2005204214.tif 000014